(57)【要約】【課題】別体の座繰り用切刃を取り付ける手間を省略し、より安価に座繰り機能を有するドリルを提供する。【解決手段】電動ドライバー・ドリル等の回転軸に、又はその回転軸に装着されたドライバービットに装着できるドリル20である。ドリル部21の先端側と反対側の根元部側にドリル軸22の外径よりも大きい外径の径大部25を設け、この径大部25のドリル軸との境界部に穿孔される被穿孔部材の穿孔外周部表面を略逆円錐台形状に座繰りすることができる面取部24を設けた。面取部24は３面乃至６面のテーパー面から構成される。テーパー面の傾斜角度は同一にしてもよいし、対向する１対のものと他の一対のものを異ならせてもよい。テーパー面の傾斜角度を３５度乃至７０度の範囲内に設定する。ドリル軸を交換可能にすることができる。【選択図】図２
0003139612.tif 000002
【実用新案登録請求の範囲】
【請求項１】
電動ドライバー・ドリル等の電動回転工具の回転軸に装着できる、又はその回転軸に装着されたドライバービットに装着できるドリルであって、
ドリル部(11, 21)の先端側と反対側の根元部側に、ドリル軸(12, 22)の外径よりも大きい外径の径大部(15, 25, 35)を設け、
この径大部(15, 25, 35)のドリル軸(12, 22)との境界部に、穿孔される被穿孔部材の穿孔外周部表面を略逆円錐台形状に座繰りすることができる面取部(14, 24, 34)を設けたことを特徴とする面取り機能付きドリル。
【請求項２】
面取部(14, 24, 34)が、軸芯から半径方向外周縁に向かって傾斜する３面乃至６面のテーパー面(T1, T2, T3, T4)から構成されていることを特徴とする請求項１に記載の面取り機能付きドリル。
【請求項３】
面取部(14, 24, 34)が、軸芯から半径方向外周縁に向かって傾斜する４面のテーパー面(T1, T2, T3, T4)から構成され、一方の相対向する一組の２面(T1, T3)のそれぞれの面積を同一とし、他方の相対向する一組の２面(T2, T4)のそれぞれの面積を同一とし、一方の組のテーパー面(T1, T3)の面積と他方の組のテーパー面(T2, T4)の面積を異ならせたことを特徴とする請求項１に記載の面取り機能付きドリル。
【請求項４】
ドリル軸(12, 22)の軸芯に対するテーパー面(T1, T2, T3, T4)の傾斜角度を３５度乃至７０度の範囲内に設定したことを特徴とする請求項１乃至３の何れかに記載の面取り機能付きドリル。
【請求項５】
面取部(14, 24, 34)が、軸芯から半径方向外周縁に向かって傾斜する４面のテーパー面(T1, T2, T3, T4)から構成され、一方の相対向する一組の２面(T1, T3)のそれぞれの傾斜角度を同一とし、他方の相対向する一組の２面(T2, T4)のそれぞれの傾斜角度を同一とし、一方の組のテーパー面(T1, T3)の傾斜角度と他方の組のテーパー面(T2, T4)の傾斜角度を異ならせたことを特徴とする請求項１に記載の面取り機能付きドリル。
【請求項６】
面取部(14, 24, 34)が軸芯から半径方向外周縁に向かって傾斜する３面のテーパー面から構成され、それぞれのテーパー面の軸芯に対する角度を略４５度としたことを特徴とする請求項１に記載の面取り機能付きドリル。
【請求項７】
径大部(25, 35)の軸芯部に挿通孔を形成し、その挿通孔と直交する半径方向に螺子穴を形成して、この螺子穴に小ネジ(29, 39)を螺合し、ドリル軸(22)を締め付け固定できるようにして、ドリル軸(22)を径大部(25, 35)に交換可能としたことを特徴とする請求項１乃至６の何れかに記載の面取り機能付きドリル。
【請求項８】
径大部(15)が横断面６角形状を有し、この径大部(15)をそのまま電動回転工具の回転軸に装着できることを特徴とする請求項１乃至６の何れかに記載の面取り機能付きドリル。
【請求項９】
径大部(35)の根元部側に、６角軸からなるドライバービットの先端部を挿入し、固定することのできる連結部を設け、電動回転工具の回転軸に装着された６角軸ドライバービットの先端部に接続して装着できることを特徴とする請求項１乃至７の何れかに記載の面取り機能付きドリル。
【考案の詳細な説明】
【技術分野】
【０００１】
本考案は、電動ドライバー・ドリル等の電動回転工具の回転軸に直接装着できるドリルや、電動回転工具の回転軸に装着された６角軸ドライバービットの先端部に接続し、装着できるドリルに関するものである。
より詳しくは、本考案は、皿ネジ等ネジ頭部を被締着部材の表面に良好に埋め込むことができるようにするために、予め下孔穿孔と同時にネジ頭部が埋設される略逆円錐台形状の座ぐり穴を形成するために使用するドリルに関するものである。
また、本考案は、とりわけ木工用のものとして開発されたものである。
【背景技術】
【０００２】
従来においては、ドリル単体としてはこの種のタイプのドリルは存在していない。
このような皿ネジの頭部に適合する下穴（座ぐり穴）を形成するものとしは、ドリルとは別体の座ぐり穴形成用の座繰り用切刃をドリル軸部に取り付けたものが存在する。
即ち、この座繰り用切刃は、先端部に切削刃が形成された略円柱形状の本体部からなり、その軸芯部にはドリル軸を挿通させるための貫通孔が形成され、その貫通孔に直交する半径方向にはネジ穴が形成され、このネジ穴に螺合する小ネジにより、ドリル軸に螺着、固定できるものである。
【考案の開示】
【考案が解決しようとする課題】
【０００３】
しかしながら、上記従来の座繰り用切刃にあっては、その切刃がドリルと別体に形成されたものであったため、これをドリルに螺着し、固定する手間が煩わしい作業となっていた。
更に、この別体から成る座繰り用切刃は、その先端部に切削刃を設けなければならず、その切削刃の加工が必要で、コストも高いものであった。
そこで、本考案においては、従来のように別体からなる座繰り用切刃を装着する手間を省略できるものの開発を目指し、且つより安価に製造できる座繰り機能を有するドリルの開発を目的としている。
また、本考案においては、とりわけ木工用のものを目的としているために、その座繰り作業或は面取り作業に当たり、それ程鋭利な刃物は要求されないため、従来のような切削用刃が設けられた切刃でなくとも、その目的を果たすことができないかを検討し、より簡易な手段によってその座繰り機能を発揮できるものを考案することをその課題とした。
【課題を解決するための手段】
【０００４】
上記課題を解決するために、本考案の第１のものは、電動ドライバー・ドリル等の電動回転工具の回転軸に装着できる、又はその回転軸に装着されたドライバービットに装着できるドリルであって、ドリル部の先端側と反対側の根元部側に、ドリル軸部の外径よりも大きい外径の径大部を設け、この径大部のドリル軸部との境界部に、穿孔される被穿孔部材の穿孔外周部表面を略逆円錐台形状に座繰りすることができる面取部を設けたことを特徴とする面取り機能付きドリルである。
【０００５】
本考案の第２のものは、上記第１の考案において、面取部が、軸芯から半径方向外周縁に向かって傾斜する３面乃至６面のテーパー面から構成されていることを特徴とする面取り機能付きドリルである。
【０００６】
本考案の第３のものは、上記第１の考案において、面取り部が、軸芯から半径方向外周縁に向かって傾斜する４面のテーパー面から構成され、一方の相対向する一組の２面のそれぞれの面積を同一とし、他方の相対向する一組の２面のそれぞれの面積を同一とし、一方の組のテーパー面の面積と他方の組のテーパー面の面積を異ならせたことを特徴とする面取り機能付きドリルである。
【０００７】
本考案の第４のものは、上記第１乃至第３の考案において、ドリル軸の軸芯に対するテーパー面の傾斜角度を３５度乃至７０度の範囲内に設定したことを特徴とする面取り機能付きドリルである。
【０００８】
本考案の第５のものは、上記第１の考案において、面取り部が、軸芯から半径方向外周縁に向かって傾斜する４面のテーパー面から構成され、一方の相対向する一組の２面のそれぞれの傾斜角度を同一とし、他方の相対向する一組の２面のそれぞれの傾斜角度を同一とし、一方の組のテーパー面の傾斜角度と他方の組のテーパー面の傾斜角度を異ならせたことを特徴とする面取り機能付きドリルである。
【０００９】
本考案の第６のものは、上記第１の考案において、面取部が軸芯から半径方向外周縁に向かって傾斜する３面のテーパー面から構成され、それぞれのテーパー面の軸芯に対する角度を略４５度としたことを特徴とする請求項１に記載の面取り機能付きドリルである。
【００１０】
本考案の第７のものは、上記第１乃至第６の考案において、径大部の軸芯部に挿通孔を形成し、その挿通孔と直交する半径方向に螺子穴を形成して、この螺子穴に小ネジを螺合し、ドリル軸を締め付け固定できるようにして、ドリル軸を径大部に交換可能としたことを特徴とする面取り機能付きドリルである。
【００１１】
本考案の第８のものは、上記第１乃至第６の考案において、径大部が横断面６角形状を有し、この径大部をそのまま電動回転工具の回転軸に装着できることを特徴とする面取り機能付きドリルである。
【００１２】
本考案の第９のものは、上記第１乃至第７の考案において、径大部の根元部側に、６角軸からなるドライバービットの先端部を挿入し、固定することのできる連結部を設け、回転電動工具の回転軸に装着された６角軸ドライバービットの先端部に接続して装着できることを特徴とする面取り機能付きドリルである。
【考案の効果】
【００１３】
本考案の第１のものにおいては、ドリル部の根元部側に、穿孔される被穿孔部材の穿孔外周部表面を略逆円錐台形状に座繰りすることができる面取部を設けているために、下穴穿孔完了と同時に皿ネジ等の頭部が適合する座繰り穴を形成することができる。
従って、従来のように座繰り用切刃をドリルに装着して、固定する手間を全く省略することができる。
更に、本考案にあっては、ドリル軸の根元部側の径大部にテーパー面を切削或は研削するのみで、簡易に加工を行うことができ、その製造コストを極めて安価に抑えることができるものとなる。
【００１４】
本考案の第２のものにおいては、面取部が軸芯から半径方向外周縁に向かって傾斜する３面乃至６面のテーパー面から構成されているために、それぞれのテーパー面同士の境界線に位置する稜線が一定の角度を形成し、決して切削刃ではないが、切削刃と同様の役目を果たして下穴の開口周縁部にテーパー状の座繰り穴が良好に形成されるのである。
この稜線がいわば切削刃の機能を果たすために、上記面取部は、そのテーパー面の数がより少ないものの方が、その切削効率は高いものとなる。即ち、３面から構成される面取部が最も座繰り機能が高いものとなるのである。というのも稜線の角度が一番小さくなり、鋭角となるからである。
【００１５】
本考案の第３のものにおいては、面取部が４面から構成され、対抗する一対のテーパー面同士が隣り合う他方の一対のテーパー面と異なる面積を有するために、両者のテーパー面の傾斜角度を異なるものとして実施することが可能となる。
即ち、面取部を構成するテーパー面の傾斜角度は、全て同一である必要はなく、後の請求項に係る考案のように、ドリル軸を交換可能とするタイプのものにあっては、そのドリル軸を締め付ける小ネジの位置等を考慮して、適宜テーパー面の傾斜角度を異ならせることもできるのである。  
【００１６】
本考案の第４のものにおいては、面取部のテーパー面の傾斜角度を３５度から７０度の範囲内に設定することにより、この範囲内の角度を有するテーパー面によって最も良好に効率よく座繰り又は面取りを行うことができることとなる。
本考案の第５のものにおいては、上記第３の考案と同一の効果を発揮することとなる。
【００１７】
本考案の第６のものにおいては、面取部を構成するテーパー面を３面とし、そのテーパー面の傾斜角度を４５度として、最も効率よく被穿孔部材に対して座繰り又は面取りを行うことができ、尚且つ既存の皿ネジ頭部の下面のテーパー面の傾斜角度（略４５度）に適合できるものとした。
本考案の第７のものにおいては、ドリル軸を径大部に着脱自在に構成したために、ドリル軸の交換を可能とし、他のタイプのドリル、或は、磨耗したドリルを新しいものと容易に交換できるものとした。
【００１８】
本考案の第８のものにおいては、径大部を横断面６角形状として、この径大部をそのまま電動ドライバー・ドリル等の電動回転工具の回転軸に装着できるように構成したものである。
本考案の第９のものにおいては、径大部の根元部側に、６角軸からなるドライバービットの先端部を挿入して、固定することができる連結部を設けたために、電動回転工具の回転軸に装着された６角軸ドライバービットの先端部に接続して装着することができるものとなる。
【考案を実施するための最良の形態】
【００１９】
以下、添付の図面と共に、本考案の実施形態について説明する。
図１は、本考案の第１の実施形態を図示しており、その（Ａ）が左側面図、その（Ｂ）が正面図である。
この第１の実施形態に係るドリル１０においては、その先端のドリル部１１の軸部が先細のテーパー状に形成されたものであり、ドリル軸１２の根元部には径大部１５が設けられている。径大部１５は左側面図から判る通り、横断面正６角形形状を有する。
【００２０】
本考案においては、上記径大部１５のドリル軸１２側の境界部分が重要部分となる。
即ち、この径大部１５のドリル軸１２側には、４つのテーパー面Ｔ１、Ｔ２、Ｔ３、Ｔ４が設けられており、これらのテーパー面Ｔ１、Ｔ２、Ｔ３、Ｔ４は、それぞれ軸芯と約５５度の角度をもって傾斜している。
従って、これらのテーパー面Ｔ１、Ｔ２、Ｔ３、Ｔ４同士の間には４本の稜線Ｅ１、Ｅ２、Ｅ３、Ｅ４が形成され、これらの稜線Ｅ１、Ｅ２、Ｅ３、Ｅ４が、皿ネジ等の頭部に適合する座繰り穴を切削することができることとなる。
【００２１】
このように本考案においては、これらの４つのテーパー面Ｔ１、Ｔ２、Ｔ３、Ｔ４が皿ネジ等の頭部の下孔を被穿孔部材に形成できる面取部１４を構成することとなり、実質的にはこれら４つのテーパー面Ｔ１、Ｔ２、Ｔ３、Ｔ４によって形成される稜線Ｅ１、Ｅ２、Ｅ３、Ｅ４がその皿ネジ等の頭部の座繰り穴を形成する機能を果たすものとなる。
この第１の実施形態では、テーパー面Ｔ１、Ｔ２、Ｔ３、Ｔ４のそれぞれが同一の傾斜角５５度を有しているが、その径大部１５が正６角形の外形を有しているために、そのそれぞれのテーパー面Ｔ１、Ｔ２、Ｔ３、Ｔ４の面積は必ずしも同一とはならない。
【００２２】
また、径大部１５は、上述したとおりその外形が正６角形形状を有しており、その図１（Ｂ）中、右側端部近傍には円環状の溝部１６が形成されている。
この円環状溝部１６は、例えば、インパクト・ドライバー等の電動回転工具の回転軸の連結部がワンタッチ接続式の構造を有し、即ち、正６角形形状の挿入孔部を有し、その挿入孔部の内部の適宜位置にストッパー用ボールが出没自在に内設されたタイプのものである場合に、その出没自在のストッパー用ボールに係合する部分となるものである。
電動ドライバー等の電動回転工具の場合には、その回転軸の接続構造は、締め付けチャック式であるため、６角軸からなる径大部１５の適宜側面に前記チャックが係合して、締め付け固定することができることとなる。
尚、この第１の実施形態においては、次に説明する実施形態と異なり、ドリル軸１２と径大部１５とは一体的に形成されたものである。
【００２３】
図２は、本考案の第２の実施形態を図示しており、その（Ａ）が左側面図、その（Ｂ）が正面図、その（Ｃ）が右側面図である。
この第２の実施形態に係るドリル２０においては、ドリル軸２２が着脱自在に形成され、他のドリル軸と交換可能となっている。
つまり、このドリル軸２２は、径大部２５及びその右側の６角軸の連結軸部２７の軸芯に設けられた挿通孔に挿通できるように構成され、小ネジ２９を締め付けることにより、固定されるように形成されている。
従って、この第２の実施形態では、ドリル軸２２は、その左側への突出長さを長短変更することができる。
【００２４】
また、この第２の実施形態で使用しているドリル部２１は、その軸部が同一外径のものを使用しているが、これがテーパードリルであってもよいことは勿論のことである。
この第２の実施形態においても、その特徴的部分は、径大部２５の左側のドリル軸２２側の境界部に設けられた面取部２４である。
この面取部２４も、上記第１の実施形態と同様に、４つのテーパー面Ｔ１、Ｔ２、Ｔ３、Ｔ４から構成されており、これら４つのテーパー面Ｔ１、Ｔ２、Ｔ３、Ｔ４の境界が稜線Ｅ１、Ｅ２、Ｅ３、Ｅ４を形成し、この稜線Ｅ１、Ｅ２、Ｅ３、Ｅ４が切削刃の機能を発揮し、被穿孔部材に皿ネジ等の頭部に適合する座繰り孔を形成することができるのである。
【００２５】
この実施形態においては、角テーパー面Ｔ１、Ｔ２、Ｔ３、Ｔ４の傾斜角度θは、約４５度に設定し、それぞれ同一角度に設定している。
また、径大部２５は、上記第１の実施形態と異なり、その外径をより大きく形成した円柱形状を有しているが、これは、ドリル軸２２をその軸芯部に挿入させて、小ネジ２９でより良好に締付けできるようにするためである。
この径大部２５の図中右側に６角軸の連結軸部２７を形成して、電動回転工具の回転軸に装着できるように構成した。
この連結軸部２７の構成は、上記第１の実施形態の径大部１５の右側根元部の構成とほぼ同じである。
【００２６】
図３は、本考案の第３の実施形態を図示しており、その（Ａ）が左側面図、その（Ｂ）が正面図、その（Ｃ）が右側面図である。
この実施形態に係るドリル３０は、電動回転工具の回転軸に装着された例えば６角軸のドライバービットの先端に装着できるタイプのものである。
この図３（Ｃ）から解る通り、その中央の６角形状の挿入孔３６の内部に６角軸のドライバービット（図示省略）の先端部が挿入され、ワンタッチで固定できるものである。
【００２７】
より詳しく説明すると、径大部３５の右端部に先端方向Fに付勢された摺動部３７が設けられ、この摺動部３７の内部にはストッパー用ボール３８、３８が２個出没自在に内設され、図示はしていないが、６角軸のドライバービットの先端を右側端面の挿入孔３６に挿入して、摺動部３７を後方の右方向に摺動させると、ストッパーボールが挿入孔３６の内壁面から引っ込み、ドライバービットが円滑に挿入され、その後ドライバービットの適宜位置に設けられた環状溝部に前記ストッパー用ボールが係合することにより、本考案第３実施形態に係るドリルがドライバービットの先端部に係合、固定されるのである。
従って、上記摺動部３７、挿入孔３６、ストッパー用ボール３８が、電動回転工具の回転軸に装着されたドライバービットの先端部に装着できる連結部を構成する。
【００２８】
この第３の実施形態に係るドリル３０においてもその特徴とするところは、径大部３５の先端側端部、即ちドリル軸２２との境界部に形成された面取部３４である。
この面取部３４は、上記実施形態と同様に、４つのテーパー面Ｔ１、Ｔ２、Ｔ３、Ｔ４から形成され、これらのテーパー面Ｔ１、Ｔ２、Ｔ３、Ｔ４のそれぞれの境界線が稜線Ｅ１、Ｅ２、Ｅ３、Ｅ４を形成し、この稜線Ｅ１、Ｅ２、Ｅ３、Ｅ４が切削機能を有することとなる。
【００２９】
尚、この第３の実施形態においては、１組の相対抗するテーパー面Ｔ１、Ｔ３の傾斜角度と、他の１組の相対向するテーパー面Ｔ２、Ｔ４との傾斜角度を異ならせている。
即ち、テーパー面Ｔ１、Ｔ３の軸芯に対する傾斜角度θを略３０度とし、他方のテーパー面Ｔ２、Ｔ４の軸芯に対する傾斜角度θを略４５度に設定している。
従って、径大部３５が略円柱形状を有しているために、テーパー面Ｔ１、Ｔ３の表面積の方が、テーパー面Ｔ２、Ｔ４の表面積よりも大きく形成されることとなる。尚、傾斜角度を同じに設定すると、４つのテーパー面の面積は略同一となる。
上記のような構成を採用したのは、径大部３５に設ける締付け用の小ネジ３９の数や位置を考慮したからである。
【００３０】
この第３の実施形態においても、上記第２の実施形態同様に、略円柱形状の径大部３５の軸芯部には、ドリル軸２２が挿入できる挿通孔が形成され、ドリル軸２２を交換可能に、またドリル軸２２の先端方向長さを適宜調整できるように構成している。
更に、この実施形態では、ドリル軸２２を締め付け、固定するための小ネジ３９を２個設けている。
【００３１】
以上、実施形態について説明したが、本考案においては以下の通り種々設計変更が可能である。
先ず、本考案の特徴的部分である面取部は、３面以上６面以下から構成することが可能であるが、切削効率を考慮するとその構成面の数は少ない方が良好である。稜線の角度が小さくなり、より鋭角となるからである。
面取部を構成するテーパー面の軸芯に対する角度は、略３５度から７０度の範囲内であればよく、既存の皿ネジ頭部の下面の傾斜角度を考慮すれば、略４５度が最適となるが、略４５度よりも大きく形成してもよい。皿ネジ等のネジを被締着部材である木材等にねじ込む場合には、木材の硬さに応じてネジ頭部が被締着部材に適宜めり込むからである。
【００３２】
いずれにせよ、各種のネジ頭部の形状に応じて、本考案に係るドリルの面取部のテーパー面の傾斜角度は種々設定することができる。
また、面取部のテーパー面の面積に関しても、そのテーパー面の傾斜角度により異ならせることができ、また径大部の外形形状によってもその面積はテーパー面の傾斜角度が同一でも異なることとなり、このテーパー面の傾斜角度とその面積に関しても、適宜必要に応じて変更し、設計することができる。
尚、面取部を構成するテーパー面は、必ずしも完全な水平面でなくともよく、その表面が少し窪んだ湾曲面からなるものであってもよいものである。
【００３３】
ドリル先端に設けるドリル部の形状や太さ等も適宜必要に応じて選択することができるし、ドリル部を交換可能に構成しても、固定的に一体的に形成するのも自由である。
他方、径大部の側も、その外形を円形形状、或は正６角形形状や４角形形状等の多角形形状とすることも出来る。
径大部の更に根元部側は、電動回転工具の回転軸或はその回転軸に装着したドライバービットに装着できる種々の形態を採用することができる。
本考案は、上記した通り、正６角形形状、或はワンタッチ連結式の構成を採用したが、その他の連結構造を採用することも自由である。
【００３４】
ドリル軸を交換できるタイプのものにおいては、このドリル軸を固定するための小ネジも１個或は２個設けてもよく、２個設けた場合には、ドリルの長手方向に並べて配置してもよいし、周方向に位置を異ならせて配置してもよいものである。
以上、本考案は、簡易な構成にして、製造コストを極めて低減できる方法を用いて、面取り機能付きのドリルを考案し、市場に提供することができた。
【図面の簡単な説明】
【００３５】
【図１】本考案の第１の実施形態を図示しており、その（Ａ）が左側面図、その（Ｂ）が正面図である。
【図２】本考案の第２の実施形態を図示しており、その（Ａ）が左側面図、その（Ｂ）が正面図、その（Ｃ）が右側面図である。
【図３】本考案の第３の実施形態を図示しており、その（Ａ）が左側面図、その（Ｂ）が正面図、その（Ｃ）が右側面図である。
【符号の説明】
【００３６】
１０、２０、３０  ドリル      
１２、２２  ドリル軸    
１１、２１  ドリル部
１４、２４、３４  面取部    
１５、２５、３５  径大部
２７  連結軸部
２９、３９  小ネジ
３７  摺動部    
Ｔ１、Ｔ２、Ｔ３、Ｔ４  テーパー面    
Ｅ１、Ｅ２、Ｅ３、Ｅ４  稜線
【図１】
0003139612.tif 000003
【図２】
0003139612.tif 000004
【図３】
0003139612.tif 000005